(57)【特許請求の範囲】
【請求項１】
下記の（Ａ）からなる管状の内層と、その外周面に接して設けられた下記の（Ｂ）からなる外層とを備えた燃料用ホースであって、下記の（α）または（β）の要件を満たし、両層が層間接着されていることを特徴とする燃料用ホース。
（Ａ）芳香族ポリアミド樹脂を主成分とする樹脂組成物。
（Ｂ）ポリオレフィン系樹脂および脂肪族ポリアミド樹脂の少なくとも一方を主成分とする樹脂組成物。
（α）上記樹脂組成物（Ｂ）が、酸変性ポリスチレン−ポリ（エチレン／ブチレン）ブロック−ポリスチレン〔酸変性ＳＥＢＳ〕および酸変性ポリメチルメタクリレート−ポリブチルアクリレート−ポリメチルメタクリレート〔酸変性ＰＭＭＡ−ＰＢＡ−ＰＭＭＡ〕の少なくとも一方を含有する。
（β）上記樹脂組成物（Ａ）が、酸変性ポリスチレン−ポリ（エチレン／ブチレン）ブロック−ポリスチレン〔酸変性ＳＥＢＳ〕および酸変性ポリメチルメタクリレート−ポリブチルアクリレート−ポリメチルメタクリレート〔酸変性ＰＭＭＡ−ＰＢＡ−ＰＭＭＡ〕の少なくとも一方を含有し、上記樹脂組成物（Ｂ）が、アミン変性ポリスチレン−ポリ（エチレン／ブチレン）ブロック−ポリスチレン〔アミン変性ＳＥＢＳ〕を含有する。
【請求項２】
上記要件（α）を満たし、樹脂組成物（Ｂ）における酸変性ＳＥＢＳおよび酸変性ＰＭＭＡ−ＰＢＡ−ＰＭＭＡの含有割合が、１．５〜５０重量％の範囲である請求項１記載の燃料用ホース。
【請求項３】
上記要件（α）を満たすとともに、樹脂組成物（Ａ）が、アミン変性ＳＥＢＳを含有する請求項１または２記載の燃料用ホース。
【請求項４】
上記要件（β）を満たし、樹脂組成物（Ａ）における酸変性ＳＥＢＳおよび酸変性ＰＭＭＡ−ＰＢＡ−ＰＭＭＡの含有割合が２．０〜３０重量％の範囲であり、樹脂組成物（Ｂ）におけるアミン変性ＳＥＢＳの含有割合が１．５〜５０重量％の範囲である請求項１記載の燃料用ホース。
【請求項５】
上記要件（α）または（β）に記載の変性ＳＥＢＳおよび酸変性ＰＭＭＡ−ＰＢＡ−ＰＭＭＡの変性エラストマーを含有する層が、その変性エラストマーを島相（ドメイン）とするアロイ材からなる請求項１〜４のいずれか一項に記載の燃料用ホース。
【請求項６】
上記内層の内周面上に、さらに、フッ素系樹脂からなる最内層を備える請求項１〜５のいずれか一項に記載の燃料用ホース。
【発明の詳細な説明】
【技術分野】
【０００１】
本発明は、自動車等の燃料（ガソリン、アルコール混合ガソリン、ディーゼル燃料等）の輸送等に用いられる燃料用ホースに関するものである。
【背景技術】
【０００２】
近年、自動車を取り巻く燃料ガスの蒸散規制は厳しくなってきており、これに対応する低透過な燃料用ホースが各種検討されている。このような燃料用ホースとしては、従来はフッ素樹脂製のホースであったが、より厳しい燃料低透過性能が要求される場合には、フッ素樹脂層の厚みを厚くせざるを得ず、そのためホースが高価になるという難点がある。そこで、フッ素樹脂よりも安価であり、燃料低透過性に優れる樹脂として、例えば、ポリフェニレンサルファイド樹脂（ＰＰＳ）、ポリアミド９Ｔ（ＰＡ９Ｔ）等の芳香族ポリアミド樹脂、ポリブチレンテレフタレート（ＰＢＴ）等の芳香族ポリエステル樹脂が注目されている。これらの樹脂からなる燃料低透過層を備えたホースは、近年、各種提案されている（例えば、特許文献１〜３参照）。
【先行技術文献】
【特許文献】
【０００３】
【特許文献１】特開平１０−１３８３７２号公報
【特許文献２】特開２００３−２８７１６５公報
【特許文献３】特開２００３−１１０７３６公報
【発明の概要】
【発明が解決しようとする課題】
【０００４】
しかしながら、ＰＰＳやＰＢＴは、比重が重く、そのままではホース重量の増加に繋がり、その結果、例えば自動車の燃費向上に貢献することが困難となる。また、ＰＰＳ、ＰＢＴ、ＰＡ９Ｔ等の燃料低透過性樹脂は、剛性が高く、これのみを用いて単層構造のホースとした場合、柔軟性に劣り、特に低温での衝撃に弱く、ホース割れを生じやすい。このような問題を解決するため、従来、上記列記した樹脂からなる燃料低透過層の厚みを薄くし、その外周に、ポリアミド樹脂，ポリエチレン樹脂等の、柔軟性に優れた熱可塑性樹脂からなる層が構成された積層ホースが提案されているが、それでも、低温衝撃性においては充分な性能が得られてないのが現状である。
【０００５】
また、上記列記した燃料低透過性樹脂は、他の材料との接着性が悪いことから、上記燃料低透過層と上記熱可塑性樹脂層との積層化には、通常、その両層の界面に接着剤層を設ける必要がある。そのため、上記接着剤層の分だけ製造工程が複雑化し、さらにホース重量の増加にもつながるといった問題が生じる。
【０００６】
本発明は、このような事情に鑑みなされたもので、軽量で、燃料低透過性に優れるとともに、低コストで、層間接着性、柔軟性、低温衝撃性、耐熱性にも優れた燃料用ホースの提供をその目的とする。
【課題を解決するための手段】
【０００７】
上記の目的を達成するために、本発明の燃料用ホースは、下記の（Ａ）からなる管状の内層と、その外周面に接して設けられた下記の（Ｂ）からなる外層とを備えた燃料用ホースであって、下記の（α）または（β）の要件を満たし、両層が層間接着されているという構成をとる。
（Ａ）芳香族ポリアミド樹脂を主成分とする樹脂組成物。
（Ｂ）ポリオレフィン系樹脂および脂肪族ポリアミド樹脂の少なくとも一方を主成分とする樹脂組成物。
（α）上記樹脂組成物（Ｂ）が、酸変性ポリスチレン−ポリ（エチレン／ブチレン）ブロック−ポリスチレン〔酸変性ＳＥＢＳ〕および酸変性ポリメチルメタクリレート−ポリブチルアクリレート−ポリメチルメタクリレート〔酸変性ＰＭＭＡ−ＰＢＡ−ＰＭＭＡ〕の少なくとも一方を含有する。
（β）上記樹脂組成物（Ａ）が、酸変性ポリスチレン−ポリ（エチレン／ブチレン）ブロック−ポリスチレン〔酸変性ＳＥＢＳ〕および酸変性ポリメチルメタクリレート−ポリブチルアクリレート−ポリメチルメタクリレート〔酸変性ＰＭＭＡ−ＰＢＡ−ＰＭＭＡ〕の少なくとも一方を含有し、上記樹脂組成物（Ｂ）が、アミン変性ポリスチレン−ポリ（エチレン／ブチレン）ブロック−ポリスチレン〔アミン変性ＳＥＢＳ〕を含有する。
【０００８】
すなわち、本発明者らは、前記課題を解決するため、燃料低透過性能や価格面の点で有利なＰＡ９Ｔ等の芳香族ポリアミド樹脂製内層の外周に、軽量で、柔軟性等に優れた高密度ポリエチレン（ＨＤＰＥ）等のポリオレフィン系樹脂やＰＡ１２等の脂肪族ポリアミド樹脂からなる外層を配置することにより、柔軟性に優れるとともに、ホース総重量を軽量化し、燃費向上に貢献し得るホースの研究開発に着手した。しかしながら、このような層構成をとる場合、先に述べたように、内層／外層間の層間接着力が課題となる。そこで、本発明者らは、この課題を解決するため鋭意研究を重ねた結果、外層材料中に、ＰＡ９Ｔ等の芳香族ポリアミド樹脂のカウンターイオン変性となる変性エラストマーをブレンドすることにより、外層に柔軟性を付与するとともに、接着剤レスで内層との層間接着性を得ることを検討し、各種実験を繰り返し行った。その結果、外層材料と相溶性の高い酸変性ＳＥＢＳ（無水マレイン酸等により変性されたＳＥＢＳ）等の酸変性エラストマーを外層材料中に配合すると、その両末端のカルボキシル基（ＣＯＯＨ基）が、内層材料の芳香族ポリアミド樹脂分子末端のアミノ基（ＮＨ2基）と反応（アミド結合）し、所望の層間接着力が得られることを突き止めた。また、このとき、さらに内層材料中に、芳香族ポリアミド樹脂と相溶性の高いエラストマーとして、アミン変性ＳＥＢＳを配合すると、そのＳＥＢＳ両末端の変性基（ＮＨ2基）と、上記酸変性ＳＥＢＳ等の酸変性エラストマーの両末端のカルボキシル基との反応により、より高い層間接着力が得られるようになる。また、この原理を利用し、ＰＡ９Ｔ等の芳香族ポリアミド樹脂製内層の材料中に酸変性ＳＥＢＳ等の酸変性エラストマーを配合し、かつ外層材料中にアミン変性ＳＥＢＳを配合した場合も、上記と同様に、高い層間接着力が得られるようになることを突き止めた。
【発明の効果】
【０００９】
以上のように、本発明の燃料用ホースは、ＰＡ９Ｔ等の芳香族ポリアミド樹脂を主成分とする樹脂組成物からなる管状の内層と、ポリオレフィン系樹脂や脂肪族ポリアミド樹脂を主成分する樹脂組成物からなる外層とを備え、上記外層形成用樹脂組成物に酸変性ＳＥＢＳや酸変性ＰＭＭＡ−ＰＢＡ−ＰＭＭＡを含有する〔要件（α）〕か、または、上記内層形成用樹脂組成物に酸変性ＳＥＢＳや酸変性ＰＭＭＡ−ＰＢＡ−ＰＭＭＡを含有し、かつ上記外層形成用樹脂組成物にアミン変性ＳＥＢＳを含有する〔要件（β）〕ものである。そのため、本発明の燃料用ホースは、層間接着性が高く、また、軽量で、燃料低透過性に優れるとともに、柔軟性、低温衝撃性、耐熱性にも優れている。また、本発明の燃料用ホースは、その層間の接着を接着剤レスで行うことが可能であり、しかも、材料コストが安価であるため、上記のように高性能であるにもかかわらず、低コスト化を達成することができる。
【００１０】
特に、上記要件（α）を満たすとともに、内層形成用樹脂組成物にアミン変性ＳＥＢＳを含有すると、より高い層間接着力が得られるようになる。
【００１１】
また、上記要件（α）または（β）に記載の変性ＳＥＢＳや酸変性ＰＭＭＡ−ＰＢＡ−ＰＭＭＡの変性エラストマーを含有する層が、その変性エラストマーを島相（ドメイン）とするアロイ材からなると、より高い層間接着力が得られるようになる。
【００１２】
また、上記内層の内周面上に、さらに、フッ素系樹脂からなる最内層を備えると、より燃料低透過性に優れるようになる。
【図面の簡単な説明】
【００１３】
【図１】本発明の燃料用ホースの一例を示す構成図である。
【発明を実施するための形態】
【００１４】
つぎに、本発明の実施の形態について説明する。
【００１５】
本発明の燃料用ホースは、例えば、図１に示すように、燃料を流通させる管状の内層１の外周面に、外層２が積層形成されて、構成されている。そして、上記内層１が下記の（Ａ）からなり、上記外層２が下記の（Ｂ）からなり、下記の（α）または（β）の要件を満たし、両層が層間接着されているという構成をとる。なお、下記（Ａ）および（Ｂ）の樹脂組成物の「主成分」とは、その樹脂組成物全体の特性に大きな影響を与えるもののことであり、本発明においては、全体の５０重量％以上を意味する。
（Ａ）芳香族ポリアミド樹脂を主成分とする樹脂組成物。
（Ｂ）ポリオレフィン系樹脂および脂肪族ポリアミド樹脂の少なくとも一方を主成分とする樹脂組成物。
（α）上記樹脂組成物（Ｂ）が、酸変性ポリスチレン−ポリ（エチレン／ブチレン）ブロック−ポリスチレン〔酸変性ＳＥＢＳ〕および酸変性ポリメチルメタクリレート−ポリブチルアクリレート−ポリメチルメタクリレート〔酸変性ＰＭＭＡ−ＰＢＡ−ＰＭＭＡ〕の少なくとも一方を含有する。
（β）上記樹脂組成物（Ａ）が、酸変性ポリスチレン−ポリ（エチレン／ブチレン）ブロック−ポリスチレン〔酸変性ＳＥＢＳ〕および酸変性ポリメチルメタクリレート−ポリブチルアクリレート−ポリメチルメタクリレート〔酸変性ＰＭＭＡ−ＰＢＡ−ＰＭＭＡ〕の少なくとも一方を含有し、上記樹脂組成物（Ｂ）が、アミン変性ポリスチレン−ポリ（エチレン／ブチレン）ブロック−ポリスチレン〔アミン変性ＳＥＢＳ〕を含有する。
【００１６】
上記要件（α）を満たす場合において、外層２用材料である樹脂組成物（Ｂ）における酸変性ＳＥＢＳや酸変性ポリメチルメタクリレート−ポリブチルアクリレート−ポリメチルメタクリレート〔酸変性ＰＭＭＡ−ＰＢＡ−ＰＭＭＡ〕の含有割合は、１．５〜５０重量％の範囲であることが好ましく、より好ましくは、５〜２０重量％の範囲である。すなわち、上記範囲未満である場合、所望の層間接着効果が得られないからであり、逆に、上記範囲を超えると、外層材料が燃料油〔例えば、Ｆｕｅｌ  Ｃ／Ｍ１５（Ｆｕｅｌ  Ｃ：メタノール＝８５容量％：１５容量％の混合燃料液）〕において、溶解するからである。
【００１７】
また、上記要件（α）を満たす場合において、内層１用材料である樹脂組成物（Ａ）が、アミン変性ＳＥＢＳを含有するものであると、より高い層間接着力が得られるようになり、好ましい。しかしながら、内層１は燃料低透過性能をもたらすため、その性能を阻害しないよう、アミン変性ＳＥＢＳの配合量は、樹脂組成物（Ａ）の５０重量％未満とすることが好ましい。
【００１８】
一方、上記要件（β）を満たす場合において、樹脂組成物（Ａ）における酸変性ＳＥＢＳや酸変性ＰＭＭＡ−ＰＢＡ−ＰＭＭＡの含有割合は２．０〜３０重量％の範囲とし、樹脂組成物（Ｂ）におけるアミン変性ＳＥＢＳの含有割合は１．５〜５０重量％の範囲とすることが好ましい。より好ましくは、樹脂組成物（Ａ）における酸変性ＳＥＢＳや酸変性ＰＭＭＡ−ＰＢＡ−ＰＭＭＡの含有割合が５〜２０重量％の範囲であり、樹脂組成物（Ｂ）におけるアミン変性ＳＥＢＳの含有割合が５〜２０重量％の範囲である。このように設定することにより、燃料低透過性能を阻害することなく、所望の層間接着効果が得られるようになる。
【００１９】
また、上記要件（α）または（β）に記載の変性ＳＥＢＳや酸変性ＰＭＭＡ−ＰＢＡ−ＰＭＭＡの変性エラストマーを含有する層が、その変性エラストマーを島相（ドメイン）とするアロイ材からなると、より高い層間接着力が得られるようになる。なお、上記層がアロイ材からなるものであるか否かは、走査電子顕微鏡（ＳＥＭ）での観察により確認することができる。
【００２０】
上記内層１の形成材料として用いられる芳香族ポリアミド樹脂としては、例えば、ポリアミド４Ｔ（ＰＡ４Ｔ）、ポリアミド６Ｔ（ＰＡ６Ｔ）、ポリアミドＭＸＤ６（ＰＡＭＸＤ６）、ポリアミド９Ｔ（ＰＡ９Ｔ）、ポリアミド１０Ｔ（ＰＡ１０Ｔ）、ポリアミド１１Ｔ（ＰＡ１１Ｔ）、ポリアミド１２Ｔ（ＰＡ１２Ｔ）、ポリアミド１３Ｔ（ＰＡ１３Ｔ）等があげられる。これらは単独であるいは二種以上併せて用いられる。なかでも、柔軟性とバリア性の観点から、ＰＡ９Ｔが好ましく用いられる。
【００２１】
上記外層２の形成材料として用いられるポリオレフィン系樹脂としては、例えば、高密度ポリエチレン（ＨＤＰＥ）、低密度ポリエチレン（ＬＤＰＥ）、ポリプロピレン、ポリブテン、ポリメチルペンテン、α-ポリオレフィン、変性ポリオレフィン（無水マレイン酸、エポキシ変性等により変性されたポリエチレン）等があげられる。これらは単独であるいは二種以上併せて用いられる。なかでも、高温シール性の観点から、ＨＤＰＥが好ましく用いられる。
【００２２】
また、上記外層２の形成材料として用いられる脂肪族ポリアミド樹脂としては、例えば、ポリアミド４６（ＰＡ４６）、ポリアミド６（ＰＡ６）、ポリアミド６６（ＰＡ６６）、ポリアミド９９（ＰＡ９９）、ポリアミド６１０（ＰＡ６１０）、ポリアミド６１２（ＰＡ６１２）、ポリアミド１１（ＰＡ１１）、ポリアミド９１２（ＰＡ９１２）、ポリアミド１２（ＰＡ１２）、ポリアミド６とポリアミド６６との共重合体（ＰＡ６／６６）、ポリアミド６とポリアミド１２との共重合体（ＰＡ６／１２）等があげられる。これらは単独でもしくは二種以上併せて用いられる。
【００２３】
上記内層１用材料や外層２用材料に配合されるアミン変性ＳＥＢＳは、例えば、ＳＥＢＳを、共重合終了時にアミノ基を有する変性剤を反応させ、その後、水素化処理することにより得ることができる。
【００２４】
また、上記内層１用材料や外層２用材料に配合される酸変性ＳＥＢＳは、例えば、ＳＥＢＳを、カルボキシル基、カルボニル基、チオカルボニル基、カルボン酸基、チオカルボン酸基、アルデヒド基、チオアルデヒド基、スルホン酸基、スルホン酸エステル基、リン酸基、リン酸エステル基、無水マレイン酸基，アクリル酸基，メタクリル酸基等で変性したものが用いられる。これらは単独でもしくは２種以上併せて用いられる。上記酸変性ＳＥＢＳのなかでも、層形成材料の主成分である樹脂との反応性に優れる点から、無水マレイン酸変性ＳＥＢＳが好ましく用いられる。
【００２５】
また、上記内層１用材料や外層２用材料に配合される酸変性ＰＭＭＡ−ＰＢＡ−ＰＭＭＡは、例えば、ＰＭＭＡ−ＰＢＡ−ＰＭＭＡを、カルボキシル基、カルボニル基、チオカルボニル基、カルボン酸基、チオカルボン酸基、アルデヒド基、チオアルデヒド基、スルホン酸基、スルホン酸エステル基、リン酸基、リン酸エステル基、無水マレイン酸基，アクリル酸基，メタクリル酸基等で変性したものが用いられる。これらは単独でもしくは２種以上併せて用いられる。上記酸変性ＰＭＭＡ−ＰＢＡ−ＰＭＭＡのなかでも、層形成材料の主成分である樹脂との反応性に優れる点から、無水マレイン酸変性ＰＭＭＡ−ＰＢＡ−ＰＭＭＡが好ましく用いられる。
【００２６】
なお、上記内層１用材料や外層２用材料には、その主成分である樹脂や、それに添加される変性ＳＥＢＳ、酸変性ＰＭＭＡ−ＰＢＡ−ＰＭＭＡ以外にも、必要に応じ、カーボンブラック、酸化チタン等の顔料、炭酸カルシウム等の充填剤、脂肪酸エステル、ミネラルオイル等の可塑剤、ヒンダートフェノール系酸化防止剤、リン系熱安定剤等の酸化防止剤、ステアリン酸、ステアリン酸カルシウム、ステアリン酸マグネシウム等の滑剤、紫外線防止剤、帯電防止剤、有機繊維、ガラス繊維、炭素繊維、金属ウィスカー等の補強剤、難燃剤等を含有しても差し支えない。
【００２７】
前記図１に示した本発明の燃料用ホースは、例えば、つぎのようにして作製することができる。すなわち、先に述べたような、内層１用材料および外層２用材料をそれぞれ準備する。このとき、その層形成材料の主成分である樹脂とともに、変性ＳＥＢＳや酸変性ＰＭＭＡ−ＰＢＡ−ＰＭＭＡといった変性エラストマーを配合する場合、二軸混練押出機（日本製鋼所製ＴＥＸ３０α）等を用いて均一に混練し、層形成材料を調製する必要がある（内層材料は２６０〜３３０℃、外層材料は２００〜２５０℃で混練する）。つぎに、内層１用押出機および外層２用押出機を用いて、各材料を押し出して１つのダイに合流させ、この共押出した溶融チューブをサイジングダイスに通すことにより、内層１の外周面に外層２が形成されてなる、２層構造の燃料用ホースを作製することができる。
【００２８】
なお、ホースを蛇腹状に形成する場合には、上記共押出した溶融チューブをコルゲート成形機に通すことにより、所定寸法の蛇腹状ホースを作製することが可能である。
【００２９】
このようにして得られる本発明の燃料用ホースにおいて、ホース内径は１〜４０ｍｍの範囲内が好ましく、特に好ましくは２〜３６ｍｍの範囲内であり、ホース外径は２〜４４ｍｍの範囲内が好ましく、特に好ましくは３〜４０ｍｍの範囲内である。また、内層１の厚みは０．０２〜１．０ｍｍの範囲内が好ましく、特に好ましくは０．０５〜０．６ｍｍの範囲内である。外層２の厚みは、０．０３〜１．５ｍｍの範囲内が好ましく、特に好ましくは０．０５〜１．０ｍｍの範囲内である。
【００３０】
なお、本発明の燃料用ホースは、前記図１に示したような２層構造に限定されるものではなく、例えば、内層１の内周面に最内層を形成した３層構造に形成することも可能である。
【００３１】
そして、上記最内層は、フッ素系樹脂からなるものであると、本発明の燃料用ホースが、より燃料低透過性に優れるようになり、好ましい。上記フッ素系樹脂としては、例えば、ポリビニルフルオライド（ＰＶＦ）、ポリビニリデンフルオライド（ＰＶＤＦ）、ポリクロロトリフルオロエチレン（ＣＴＦＥ）、ポリテトラフルオロエチレン（ＰＴＦＥ）、テトラフロオロエチレン・ヘキサフルオロ共重合体（ＦＥＰ）、テトラフルオロエチレン・パーフルオロアルキルビニルエーテル共重合体（ＰＦＡ）、テトラフルオロエチレン・ヘキサフルオロプロピレン・ビニリデンフルオライド共重合体（ＴＨＶ）、エチレンとテトラフルオロエチレンの共重合体（ＥＴＦＥ）、エチレンとポリクロロトリフルオロエチレンの共重合体（ＥＣＴＦＥ）等の共重合体や、それらの変性共重合体、各種グラフト重合体及びブレンド体、さらに、これらにカーボンブラック、炭素繊維、カーボンナノチューブ、導電性高分子等を添加し、導電性が付与された導電フッ素系樹脂等があげられる。これらは単独でもしくは二種以上併せて用いられる。
【００３２】
上記内層１の内周面に最内層を形成してなる、本発明の燃料用ホースは、例えば、つぎのようにして作製することができる。すなわち、最内層用材料を準備し、最内層用押出機を用いて、各層の形成材料とともに押し出して１つのダイに合流させ、この共押出した溶融チューブをサイジングダイスに通すことにより、内層１の内周面に最内層が形成されてなる燃料用ホースを作製することができる。
【００３３】
上記最内層の厚みは、０．０３〜０．５ｍｍの範囲内が好ましく、特に好ましくは０．０５〜０．３ｍｍの範囲内である。
【００３４】
また、本発明の燃料用ホースは、必要に応じて、例えば、外層２の外周に最外層を形成した構造であっても差し支えない。
【００３５】
本発明の燃料用ホースは、ガソリン、アルコール混合ガソリン、ディーゼル燃料、ＣＮＧ（圧縮天然ガス）、ＬＰＧ（液化石油ガス）等の自動車用燃料の輸送用ホースとして好適に用いられるが、これに限定されるものではなく、メタノールや水素、ジメチルエーテル（ＤＭＥ）等の燃料電池自動車用の燃料輸送用ホースとしても使用可能である。
【実施例】
【００３６】
つぎに、実施例について比較例と併せて説明する。ただし、本発明はこれら実施例に限定されるものではない。
【００３７】
まず、実施例および比較例に先立ち、下記に示す材料を準備した。
【００３８】
〔ＰＡ９Ｔ〕
Ｎ１００１Ａ、クラレ社製
【００３９】
〔ＨＤＰＥ〕
ＨＢ１１１Ｒ、日本ポリエチレン社製
【００４０】
〔アミン変性ＳＥＢＳ〕
タフテックＭ１０、旭化成ケミカルズ社製
【００４１】
〔酸変性ＳＥＢＳ〕
タフテックＭ１９１３、旭化成ケミカルズ社製
【００４２】
〔酸変性ＰＭＭＡ−ＰＢＡ−ＰＭＭＡ〕
ＮＡＢＳＴＡＲ（酸変性品）、カネカ社製
【００４３】
〔ＰＡ１２〕
ＡＥＳＮ  Ｐ２０ＴＬ、アルケマ社製
【００４４】
〔ＰＡ６１０〕
ＣＭ２４０２、東レ社製
【００４５】
〔ＰＡ６１２〕
７０３４Ｕ、宇部興産社製
【００４６】
〔フッ素樹脂〕
ＲＰ５０００、ダイキン工業社製
【００４７】
〔導電フッ素樹脂〕
ＲＰ５０００ＡＳ、ダイキン工業社製
【００４８】
つぎに、上記材料を用いて、以下に示すようにホースを作製した。
【００４９】
〔実施例１〜１５、比較例１〜９〕
下記の表１〜表５に示す、最内層用材料（実施例１２〜１５のみ），内層用材料，外層用材料を準備し、これらを充填した各押出機から、上記各材料を熱溶融押し出し（共押し出し）して１つのダイに合流させ、これをサイジングダイスに通すことにより、内径６ｍｍの平滑ホースを作製した。なお、表１〜表５に層形成材料の記載がないものは、その層の形成は行っていない。また、下記の表１〜表５において、ＰＡ９Ｔ，ＨＤＰＥ，ＰＡ１２等のポリマーとともに、変性ＳＥＢＳや酸変性ＰＭＭＡ−ＰＢＡ−ＰＭＭＡといった変性エラストマーを含有する層形成材料は、同表に示す重量比（ｗｔ％）で、二軸混練押出機（日本製鋼所製ＴＥＸ３０α）を用いて均一に混練（内層材料は２６０〜３３０℃、外層材料は２００〜２５０℃で混練）されたものであり、さらに、この層形成材料の硬化物は、上記ポリマーを海相（マトリクス）とし、変性ＳＥＢＳ等の変性エラストマーを島相（ドメイン）とするアロイ材であることが、走査電子顕微鏡（ＳＥＭ）での観察により確認されている。また、上記作製した平滑ホースが１層構造の場合、その層の厚みは１ｍｍとし、２層構造の場合、内層の厚み０. ３ｍｍ／外層の厚み０. ７ｍｍとし、３層構造の場合、最内層の厚み０．０５ｍｍ／内層の厚み０．２５ｍｍ／外層の厚み０．７ｍｍとした。
【００５０】
【表１】
0005474623.tif 000002
【００５１】
【表２】
0005474623.tif 000003
【００５２】
【表３】
0005474623.tif 000004
【００５３】
【表４】
0005474623.tif 000005
【００５４】
【表５】
0005474623.tif 000006
【００５５】
このようにして得られた実施例および比較例のホースを用い、下記の基準に従い、各特性の評価を行った。これらの結果を、後記の表６〜表１０に併せて示した。
【００５６】
〔耐燃料油性〕
各ホースを、１０ｍｍ幅で短冊状に切断して、サンプルを作製した。そして、上記サンプルを、Ｆｕｅｌ  Ｃ／Ｍ１５（Ｆｕｅｌ  Ｃ：メタノール＝８５容量％：１５容量％の混合燃料液）に、６０℃×１６８時間浸漬した。そして、上記浸漬後のサンプルの各層の溶解状態を目視評価し、各層とも溶解しなかったものを○、いずれかの層に溶解がみられたものを×と評価した。
【００５７】
〔燃料透過量〕
各ホースに対し、等圧式ホース透過率測定装置（ＧＴＲテック社製、ＧＴＲ−ＴＵＢＥ３−ＴＧ）を用いて、トルエン／イソオクタン／エタノールを４５：４５：１０（体積比）の割合で混合した模擬アルコール添加ガソリンの透過係数を、４０℃で一カ月間測定した（単位：ｍｇ／ｍ／ｄａｙ）。なお、表に記載した値は、平衡に達したときの値である。そして、この値が、５０（ｍｇ／ｍ／ｄａｙ）未満のものを○、５０（ｍｇ／ｍ／ｄａｙ）以上のものを×と評価した。
【００５８】
〔層間接着力〕
各ホースを、１０ｍｍ幅で短冊状に切断して、サンプルを作製した。そして、各サンプルの層間（実施例１〜１１，比較例３〜５，比較例７〜９においては、内層／外層間。実施例１２〜１５においては、最内層／内層、および内層／外層間。）を剥離させ、各々引張試験機のチャックに挟み、引張速度５０ｍｍ／分の条件で、１８０°剥離強度（Ｎ／ｃｍ）を測定した。なお、剥離強度が２０Ｎ／ｃｍ以上であれば、層間接着性が良好という目標値を設定し、その評価において○と表記し、１０Ｎ／ｃｍ以上２０Ｎ／ｃｍ未満のものは△、１０Ｎ／ｃｍ未満のものは×と評価した。なお、本発明においては、△以上の評価（○および△）が要求される。
【００５９】
〔低温柔軟性〕
各ホースを、低温（−４０℃）環境下に２４時間放置した後、上記ホースを９０°に折り曲げた。これにより、ホースに亀裂や折れといった異常がみられたものを×、上記異常がみられなかったものを○と評価した。
【００６０】
【表６】
0005474623.tif 000007
【００６１】
【表７】
0005474623.tif 000008
【００６２】
【表８】
0005474623.tif 000009
【００６３】
【表９】
0005474623.tif 000010
【００６４】
【表１０】
0005474623.tif 000011
【００６５】
上記結果から、実施例品は、いずれも燃料透過量が小さく、耐燃料油性、層間接着性、低温柔軟性に優れていることがわかる。
【００６６】
これに対して、ＰＡ９Ｔ単層構造である比較例１品は、低温柔軟性に劣る。ＨＤＰＥ単層構造である比較例２品は、低温柔軟性には優れるものの、燃料透過性が高く、燃料用ホース用途に適さない。比較例３品は、ＰＡ９Ｔ内層とＨＤＰＥ外層との積層構造をとるが、両層とも特定の変性エラストマーを含有しておらず、層間接着性、低温柔軟性に劣る。比較例４品は、ＰＡ９Ｔ内層とアミン変性ＳＥＢＳ外層との積層構造をとるが、耐燃料油性試験において外層材の溶解が生じた。また、比較例４品は、層間接着性、低温柔軟性にも劣る。比較例５品は、ＰＡ９Ｔ内層と酸変性ＳＥＢＳ外層との積層構造をとるが、上記と同様、耐燃料油性試験において外層材の溶解が生じた。比較例６品は、ＰＡ１２単層構造であり、燃料透過性が高く、燃料用ホース用途に適さない。比較例７〜９品は、ＰＡ９Ｔ内層と脂肪属ポリアミド樹脂（ＰＡ１２，ＰＡ６１０，ＰＡ６１２）外層との積層構造をとるが、両層とも特定の変性エラストマーを含有しておらず、層間接着性、低温柔軟性に劣る。
【産業上の利用可能性】
【００６７】
本発明の燃料用ホースは、ガソリン、アルコール混合ガソリン、ディーゼル燃料、ＣＮＧ（圧縮天然ガス）、ＬＰＧ（液化石油ガス）等の自動車用燃料の輸送用ホースして好適に用いることができる。
【符号の説明】
【００６８】
１  内層
２  外層
【図１】
0005474623.tif 000012